(57)【要約】【課題】シールド電線が備える被覆電線と編組導体とを固定する機能と、編組導体を接地する機能と、を一体的に有する接地用部材を提供すること。【解決手段】導電性の接地用部材２は、被覆電線１０と被覆電線１０を覆う編組導体２０とを備えたシールド電線１の外周に編組導体２０に接触するように取り付けられる。接地用部材２は、編組導体２０を被覆電線１０に押し付けた状態にて編組導体２０に対して相対移動不能に固定される第１部材３０と、シールド電線１の軸線方向において第１部材３０に隣接するように配置され、第１部材３０に対して軸線方向に相対移動不能に固定される第２部材４０と、シールド電線１の径方向において第２部材４０に隣接するように配置され、第２部材４０の外周面との間に編組導体２０を挟んだ状態にて第２部材４０に対して相対移動不能に固定される第３部材５０と、を備える。【選択図】図４
2019091574.tif 000002
【特許請求の範囲】
【請求項１】
被覆電線と前記被覆電線を覆う編組導体とを備えたシールド電線の外周に前記編組導体に接触するように取り付けられる導電性の接地用部材であって、
前記編組導体を前記被覆電線に押し付けた状態にて前記編組導体に対して相対移動不能に固定される第１部材と、
前記シールド電線の軸線方向において前記第１部材に隣接するように配置され、前記第１部材に対して前記軸線方向に相対移動不能に固定される第２部材と、
前記シールド電線の径方向において前記第２部材に隣接するように配置され、前記第２部材の外周面との間に前記編組導体を挟んだ状態にて前記第２部材に対して相対移動不能に固定される第３部材と、を備えた、
接地用部材。
【請求項２】
請求項１に記載の接地用部材において、
前記第１部材は、
前記編組導体に対して固定される筒状の第１本体部と、前記第１本体部から前記径方向の外側へ向けて広がる円板状のフランジ部であって該フランジ部の外周縁に前記径方向の内側へ向けて窪む凹部を有するフランジ部と、を有し、
前記第２部材は、
前記第３部材が固定される筒状の第２本体部と、前記第２本体部から前記径方向の外側へ向けて広がって前記フランジ部を覆うフード部であって前記凹部に対応するように前記径方向の内側へ向けて突出する凸部を有するフード部と、を有すると共に、前記凸部が前記凹部を通り抜けるまで前記軸線方向に沿って前記第１部材に対して近付いた後、前記シールド電線の周方向に前記第１部材に対して回転して前記凸部が前記凹部と前記周方向の異なる位置に移動することにより、前記第１部材に対して前記軸線方向に相対移動不能に固定される、ように構成された、
接地用部材。
【請求項３】
請求項２に記載の接地用部材において、
前記第１部材は、
複数の前記凹部を前記フランジ部に設け、
前記第２部材は、
前記複数の前記凹部に対応した複数の前記凸部を前記フード部に設けた、
接地用部材。
【請求項４】
被覆電線と前記被覆電線を覆う編組導体とを備えたシールド電線と、
前記シールド電線の外周に前記編組導体に接触するように取り付けられる請求項１〜請求項３の何れか一項に記載の接地用部材と、を備えた、
接地用部材付きシールド電線。
【発明の詳細な説明】
【技術分野】
【０００１】
本発明は、被覆電線と編組導体とを備えたシールド電線の外周に編組導体に接触するように取り付けられる導電性の接地用部材、及び、その接地用部材が取り付けられたシールド電線、に関する。
【背景技術】
【０００２】
従来から、自動車に搭載されるワイヤハーネス等に用いられるシールド電線において、被覆電線を覆うように設けられた編組導体が遮断および捕集した電磁ノイズ等を接地対象（例えば、自動車の車体フレーム）に向けて放出するべく、接地用部材（例えば、シールド端子）を編組導体に加締め固定する手法が提案されている。
【０００３】
例えば、従来の接地用部材の一つは、被覆電線を覆う編組導体を備えたシールド電線に対し、筒状のシールド端子と加締めスリーブとの間に編組導体を挟んだ状態にて、シールド端子、編組導体および加締めスリーブを一体的に加締めて固定するように構成されている（例えば、特許文献１を参照。）。
【先行技術文献】
【特許文献】
【０００４】
【特許文献１】特開２０１１−１７１０５７号公報
【発明の概要】
【発明が解決しようとする課題】
【０００５】
上述したようなシールド電線では、一般に、被覆電線と編組導体とは互いに独立した別部材として準備され、シールド電線を製造する過程において被覆電線に編組導体が被せられるようになっている。そのため、被覆電線と編組導体との間の相対的移動（位置ズレ）を抑制するべく、被覆電線を編組導体に対して固定することが望ましい。一方、シールド電線の軽量化および低コスト化などの観点から、そのような固定に用いる部品の数は、出来る限り低減されることが望ましい。
【０００６】
本発明は、上述した事情に鑑みてなされたものであり、その目的は、シールド電線が備える被覆電線と編組導体とを固定する機能と、編組導体を接地する機能と、を一体的に有する接地用部材、及び、その接地用部材が取り付けられたシールド電線、を提供することにある。
【課題を解決するための手段】
【０００７】
前述した目的を達成するために、本発明に係る接地用部材は、下記（１）〜（３）を特徴としている。
（１）
被覆電線と前記被覆電線を覆う編組導体とを備えたシールド電線の外周に前記編組導体に接触するように取り付けられる導電性の接地用部材であって、
前記編組導体を前記被覆電線に押し付けた状態にて前記編組導体に対して相対移動不能に固定される第１部材と、
前記シールド電線の軸線方向において前記第１部材に隣接するように配置され、前記第１部材に対して前記軸線方向に相対移動不能に固定される第２部材と、
前記シールド電線の径方向において前記第２部材に隣接するように配置され、前記第２部材の外周面との間に前記編組導体を挟んだ状態にて前記第２部材に対して相対移動不能に固定される第３部材と、を備えた、
接地用部材であること。
（２）
上記（１）に記載の接地用部材において、
前記第１部材は、
前記編組導体に対して固定される筒状の第１本体部と、前記第１本体部から前記径方向の外側へ向けて広がる円板状のフランジ部であって該フランジ部の外周縁に前記径方向の内側へ向けて窪む凹部を有するフランジ部と、を有し、
前記第２部材は、
前記第３部材が固定される筒状の第２本体部と、前記第２本体部から前記径方向の外側へ向けて広がって前記フランジ部を覆うフード部であって前記凹部に対応するように前記径方向の内側へ向けて突出する凸部を有するフード部と、を有すると共に、前記凸部が前記凹部を通り抜けるまで前記軸線方向に沿って前記第１部材に対して近付いた後、前記シールド電線の周方向に前記第１部材に対して回転して前記凸部が前記凹部と前記周方向の異なる位置に移動することにより、前記第１部材に対して前記軸線方向に相対移動不能に固定される、ように構成された、
接地用部材であること。
（３）
上記（２）に記載の接地用部材において、
前記第１部材は、
複数の前記凹部を前記フランジ部に設け、
前記第２部材は、
前記複数の前記凹部に対応した複数の前記凸部を前記フード部に設けた、
接地用部材であること。
【０００８】
上記（１）の構成の接地用部材によれば、第１部材が編組導体を被覆電線に向けて押圧した状態にて、第１部材が編組導体に相対移動不能に固定される。この押圧により、編組導体と被覆電線との間での位置ズレが抑制される。更に、この第１部材に対して第２部材が相対移動不能に固定された上で、第２部材の外周面との間に編組導体を挟むように第３部材が固定される。これにより、第２部材と第３部材と編組導体との接触面積を大きくできる。よって、この接地用部材を接地対象（車体フレーム等）に繋げば、編組導体が捕集等した電磁ノイズを接地用部材を通じて接地対象に効率良く放出できる。更に、第１部材が編組導体に相対移動不能に固定されることにより、第１部材を基準として第２部材および第３部材をシールド電線に取り付ければ、接地用部材を設計通りの位置に精度良く取り付けることもできる。加えて、接地用部材を設計通りの位置に精度良く取り付けられるため、シールド電線を自動車の車体フレーム等に接地させる際の接地用治具（接地用コネクタ構造）を不要に大きくする必要もなくなる。
【０００９】
したがって、本構成の接地用部材によれば、シールド電線が備える被覆電線と編組導体とを固定する機能と、編組導体を接地する機能と、を一体的に有することができる。更に、接地用部材を設計通りの位置に精度良く取り付けることもできる。
【００１０】
なお、上述した「相対移動不能」とは、必ずしも相対的な移動量が厳密なゼロであることのみを意味せず、各々の部材が各々の機能を発揮するにあたって相対的な移動が実質的に生じていないとみなし得る程度の移動量であることも含む概念である。
【００１１】
上記（２）の構成の接地用部材によれば、第１部材を編組導体に固定した後、第１部材のフランジ部の凹部を第２部材のフード部の凸部が通り抜けるように第１部材に第２部材を軸線方向において近付け、更に、第２部材を周方向に回転させて第２部材を第１部材に固定できる。これにより、第１部材によって定められた位置に、接地用部材を簡単な手順によって取り付けることができる。よって、シールド電線に接地用部材を取り付ける作業の作業性を向上することができる。
【００１２】
上記（３）の構成の接地用部材によれば、フード部に設けられた複数の凸部によってフード部とフランジ部とが固定されることにより、第１部材と第２部材とをより安定的に固定することができる。
【００１３】
更に、前述した目的を達成するために、本発明に係る接地用部材付きシールド電線は、下記（４）を特徴としている。
（４）
被覆電線と前記被覆電線を覆う編組導体とを備えたシールド電線と、
前記シールド電線の外周に前記編組導体に接触するように取り付けられる上記（１）又は上記（２）に記載の接地用部材と、を備えた、
接地用部材付きシールド電線であること。
【００１４】
上記（４）の構成の接地用部材付きシールド電線によれば、接地用部材の第１部材が編組導体を被覆電線に向けて押圧した状態にて、第１部材が編組導体に相対移動不能に固定される。この押圧により、編組導体と被覆電線との間での位置ズレが抑制される。更に、この第１部材に対して第２部材が相対移動不能に固定された上で、第２部材の外周面との間に編組導体を挟むように第３部材が固定される。これにより、第２部材と第３部材と編組導体との接触面積を大きくできる。よって、接地用部材を接地対象（車体フレーム等）に繋げば、編組導体が捕集等した電磁ノイズを接地用部材を通じて接地対象に効率良く放出できる。更に、第１部材が編組導体に相対移動不能に固定されることにより、第１部材を基準として第２部材および第３部材をシールド電線に取り付ければ、接地用部材を設計通りの位置に精度良く取り付けることもできる。
【００１５】
したがって、本構成の接地用部材付きシールド電線によれば、シールド電線が備える被覆電線と編組導体とを固定する機能と、編組導体を接地する機能と、を一体的に有することができる。更に、接地用部材が設計通りの位置に精度良く取り付けられるため、シールド電線を自動車の車体フレーム等に接地させる作業の作業性を向上できる。
【発明の効果】
【００１６】
本発明によれば、シールド電線が備える被覆電線と編組導体とを固定する機能と、編組導体を接地する機能と、を一体的に有する接地用部材、及び、その接地用部材が取り付けられたシールド電線、を提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態に係る接地用部材付きシールド電線の概略斜視図である。
【図２】図２は、加締め前における接地用部材の分解斜視図である。
【図３】図３（ａ）〜図３（ｃ）は、シールドストッパに対するシールドターミナルの組付過程を説明するための図であり、図３（ｄ）は、図３（ｃ）のＡ−Ａ断面図である。
【図４】図４（ａ）〜図４（ｃ）は、シールド電線に対する接地用部材の組付過程を説明するための第１の図である。
【図５】図５（ａ）〜図５（ｃ）は、シールド電線に対する接地用部材の組付過程を説明するための第２の図である。
【図６】図６（ａ）〜図６（ｃ）は、シールド電線に対する接地用部材の組付過程を説明するための第３の図である。
【図７】図７は、変形例に係るシールドターミナルの斜視図である。
【発明を実施するための形態】
【００１９】
＜実施形態＞
以下、図面を参照しながら、本発明の実施形態に係る接地用部材２が取り付けられたシールド電線１について説明する。
【００２０】
図１に示すように、シールド電線１は、芯線１１及び芯線１１を覆う絶縁体１２からなる被覆電線１０と、被覆電線１０を覆う筒状の編組導体２０と、を備えている。このシールド電線１の編組導体２０に対し、接地用部材２が加締め固定されることにより、図１の全体像に示すような接地用部材２が取り付けられたシールド電線１が製造される。
【００２１】
接地用部材２は、シールド電線１の編組導体２０が遮断および捕集した電磁ノイズ等を接地対象（例えば、自動車の車体フレーム）に向けて放出するために取り付けられている。即ち、接地用部材２を接地対象（車体フレーム等）に繋ぐことにより、編組導体２０が捕集等した電磁ノイズ等を、接地用部材２を通じて接地対象に放出することができる。
【００２２】
なお、本例では、編組導体２０が外部に露出するように形成されている。しかし、シールド電線１は、必要に応じ、編組導体２０の外周を覆う絶縁外皮（シース）を更に備えてもよい。
【００２３】
図１に示すように、金属製の接地用部材２は、シールドストッパ３０と、シールドターミナル４０と、シールドリング５０と、を備える。以下、図２及び図３を参照しながら、まず、加締め前の接地用部材２を構成する各部材について順に説明していく。
【００２４】
図２に示すように、金属製のシールドストッパ３０は、円筒状の第１本体部３１と、第１本体部３１の軸線方向の一端部から径方向に沿って径方向外側へ向けて広がる円板状のフランジ部３２と、を一体に有する。第１本体部３１は後に、シールド電線１の編組導体２０に対して固定されることになる。フランジ部３２の外周縁の周方向における複数箇所（本例では、直径の両端に対応する２か所）には、径方向内側へ向けて窪む切欠き３３がそれぞれ形成されている。
【００２５】
金属製のシールドターミナル４０は、円筒状の第２本体部４１と、第２本体部４１から径方向外側へ向けて広がるフード部４２と、を一体に有する。フード部４２は、図３（ｄ）に示すように、第２本体部４１の軸線方向の一端部から径方向に沿って径方向外側へ向けて広がる円板状の底壁部４３と、底壁部４３の外周縁から第２本体部４１と反対側の向きに軸線方向に延びる円筒状の円筒壁部４４と、からなる。
【００２６】
フード部４２は後に、シールドストッパ３０のフランジ部３２を覆うと共にフランジ部３２に対して固定されることになる。円筒壁部４４の内壁面における、軸線方向において底壁部４３からフランジ部３２の板厚分だけ離れた位置には、フランジ部３２の切欠き３３に対応するように周方向における複数箇所（本例では、直径の両端に対応する２か所）に、径方向内側へ向けて突出する突起４５がそれぞれ形成されている。
【００２７】
本例では、突起４５は、円筒壁部４４における対応する箇所に対して径方向内側に窪ませる加工（プレス加工等）を施すことで形成されている。よって、円筒壁部４４の外壁面における突起４５に対応する位置には、径方向内側へ向けて凹んだ窪み４６（図２等参照）が形成されている。
【００２８】
金属製のシールドリング５０は、円筒状の形状を有する。シールドリング５０は後に、シールドターミナル４０の第２本体部４１に固定されることになる。
【００２９】
次いで、図３を参照しながら、シールドストッパ３０に対するシールドターミナル４０の組み付けについて説明する。
【００３０】
まず、図３（ａ）に示すように、フランジ部３２とフード部４２とが軸線方向に離れて対向するように、且つ、フランジ部３２の切欠き３３とフード部４２の突起４５との周方向位置が合うように、シールドストッパ３０及びシールドターミナル４０を同軸的に配置する。
【００３１】
次いで、図３（ａ）に矢印で示すように、シールドストッパ３０に対してシールドターミナル４０を軸線方向に近付けていく。このようにシールドストッパ３０に対してシールドターミナル４０を接近させる動作は、図３（ｂ）に示すように、フード部４２の突起４５がフランジ部３２の切欠き３３を通り抜け、且つ、フード部４２の底壁部４３がフランジ部３２に当接するまで継続される。
【００３２】
次いで、図３（ｃ）に矢印で示すように、シールドストッパ３０に対してシールドターミナル４０を所定角度だけ周方向に回転させる。この結果、フード部４２の突起４５がフランジ部３２の切欠き３３と周方向の異なる位置に移動することで、図３（ｃ）及び図３（ｄ）に示すように、周方向の複数箇所（本例では、２か所）にて、フランジ部３２の外周縁が、軸線方向においてフード部４２の底壁部４３と突起４５との間に挟持される。この結果、シールドターミナル４０がシールドストッパ３０に対して軸線方向に相対移動不能に固定される。
【００３３】
次いで、図４〜図６を参照しながら、シールド電線１に対する接地用部材２の組み付けについて説明する。
【００３４】
まず、図４（ａ）に示すように、被覆電線１０の外周が編組導体２０で覆われたシールド電線１と、接地用部材２（具体的には、シールドストッパ３０、シールドターミナル４０、及び、シールドリング５０）とを準備する。
【００３５】
次いで、図４（ｂ）に示すように、シールドストッパ３０を、第１本体部３１側からシールド電線１の編組導体２０に挿通し、編組導体２０の先端から所定距離だけ進入した位置（図４（ｃ）参照）に配置する。
【００３６】
次いで、図４（ｃ）に示すように、所定の治具を用いて、第１本体部３１を編組導体２０に対して加締め固定する。これにより、シールドストッパ３０が編組導体２０を被覆電線１０に向けて径方向内側に押圧した状態にて、シールドストッパ３０が編組導体２０に対して相対移動不能に固定される。この押圧により、編組導体２０と被覆電線１０との間での位置ズレが抑制される。なお、本例では、第１本体部３１が六角形筒状に加圧変形されているが、第１本体部３１がその他の形状（角筒状等）に加圧変形されてもよいことは言うまでもない。
【００３７】
次いで、図５（ａ）に示すように、シールドターミナル４０を、フード部４２側からシールド電線１の編組導体２０に挿通し、フランジ部３２の切欠き３３とフード部４２の突起４５との周方向位置が合った状態で、シールドストッパ３０に対してシールドターミナル４０を軸線方向に近付けていく（図５（ａ）の矢印を参照）。このようにシールドストッパ３０に対してシールドターミナル４０を接近させる動作は、上述したように、フード部４２の突起４５がフランジ部３２の切欠き３３を通り抜け、且つ、フード部４２の底壁部４３がフランジ部３２に当接するまで継続される。
【００３８】
フード部４２の底壁部４３がフランジ部３２に当接すると、図５（ｂ）に示すように、シールドストッパ３０に対してシールドターミナル４０を所定角度だけ周方向に回転させる（図５（ｂ）の矢印を参照）。この結果、フード部４２の突起４５がフランジ部３２の切欠き３３と周方向の異なる位置に移動することで、上述したように、フランジ部３２の外周縁が、軸線方向においてフード部４２の底壁部４３と突起４５との間に挟持される（図３（ｃ）及び図３（ｄ）参照）。この結果、シールドターミナル４０がシールドストッパ３０に対して軸線方向に相対移動不能に固定される。
【００３９】
次いで、図５（ｃ）に示すように、シールドターミナル４０の第２本体部４１の先端から先端側に露出している編組導体２０の端部２１を拡径し（図５（ｃ）の矢印を参照）、図６（ａ）に示すように、拡径された端部２１を、第２本体部４１の先端を起点として径方向外側へ（第２本体部４１の外周面を覆う向きに）折り返す。これにより、編組導体２０の端部２１は、第２本体部４１の外周面を覆うように、第２本体部４１の外周に配置される。
【００４０】
次いで、図６（ｂ）に示すように、シールドリング５０を、折り返された編組導体２０の端部２１の外周に挿通・配置する（図６（ｂ）の矢印を参照）。これにより、折り返された端部２１が、第２本体部４１の外周面とシールドリング５０の内周面とによって挟まれた状態が得られる。
【００４１】
そして、図６（ｃ）に示すように、所定の治具を用いて、シールドリング５０を、編組導体２０の端部２１（よって、第２本体部４１）に対して加締め固定する。これにより、編組導体２０の端部２１が第２本体部４１の外周面とシールドリング５０の内周面とによって挟まれた状態にて、シールドリング５０がシールドターミナル４０に対して相対移動不能に固定される。なお、本例では、シールドリング５０が六角形筒状に加圧変形されているが、シールドリング５０がその他の形状（角筒状等）に加圧変形されてもよいことは言うまでもない。
【００４２】
以上により、シールド電線１に対する接地用部材２の組み付けが完了する。この結果、図１に示した、接地用部材２が取り付けられたシールド電線１が得られる。
【００４３】
以上に説明したように、本実施形態に係る接地用部材２が取り付けられたシールド電線１によれば、シールドストッパ３０が編組導体２０を被覆電線１０に押圧した状態にて、シールドストッパ３０が編組導体２０に相対移動不能に固定される。この押圧により、編組導体２０と被覆電線１０との間での位置ズレが抑制される。更に、このシールドストッパ３０に対してシールドターミナル４０が相対移動不能に固定された上で、シールドターミナル４０（第２本体部４１）の外周面との間に編組導体２０の端部２１を挟むようにシールドリング５０が固定される。これにより、シールドターミナル４０とシールドリング５０と編組導体２０との接触面積を大きくできる。よって、接地用部材２を接地対象（車体フレーム等）に繋げば、編組導体２０が捕集等した電磁ノイズを接地用部材２を通じて接地対象に放出できる。更に、シールドストッパ３０が編組導体２０に相対移動不能に固定されることにより、シールドストッパ３０を基準としてシールドターミナル４０およびシールドリング５０をシールド電線１に取り付ければ、接地用部材２を設計通りの位置に精度良く取り付けることもできる。
【００４４】
したがって、本構成の接地用部材２が取り付けられたシールド電線１によれば、シールド電線１が備える被覆電線１０と編組導体２０とを固定する機能と、編組導体２０を接地する機能と、を一体的に有することができる。更に、接地用部材２を設計通りの位置に精度良く取り付けられるため、シールド電線１を自動車の車体フレーム等に接地させる際の接地用治具（接地用コネクタ構造）を不要に大きくする必要もなくなる。
【００４５】
更に、シールドストッパ３０を編組導体２０に固定した後、シールドストッパ３０のフランジ部３２の切欠き３３をシールドターミナル４０のフード部４２の突起４５が通り抜けるようにシールドストッパ３０にシールドターミナル４０を軸線方向において近付け、更に、シールドターミナル４０を周方向に回転させてシールドターミナル４０をシールドストッパ３０に固定できる。これにより、シールドストッパ３０によって定められた位置に、接地用部材２を簡単な手順によって取り付けることができる。よって、シールド電線１に接地用部材２を取り付ける作業の作業性を向上することができる。
【００４６】
更に、フード部４２に設けられた複数の突起４５によってフード部４２とフランジ部３２とが固定されることにより、シールドストッパ３０とシールドターミナル４０とをより安定的に固定することができる。
【００４７】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４８】
例えば、上記実施形態では、本発明の「凸部」として、図３（ａ）に示すように、シールドターミナル４０のフード部４２の円筒壁部４４に、突起４５が設けられている。これに対し、図７に示すように、本発明の「凸部」として、フード部４２の円筒壁部４４の軸方向の端部の一部を切断して径方向内側へ折り曲げた（切り起こした）折り曲げ片４７が設けられてもよい。
【００４９】
更に、上記実施形態では、突起４５及び切欠き３３が周方向における２か所に設けられているが、周方向の一か所にのみ設けられていてもよい。更には、突起４５及び切欠き３３が、周方向における３か所以上に（周方向に等間隔に）設けられていてもよい。
【００５０】
ここで、上述した本発明に係る接地用部材２、及び、接地用部材付きシールド電線１の実施形態の特徴を以下（１）〜（４）に簡潔に纏めて列記する。
（１）
被覆電線（１０）と前記被覆電線（１０）を覆う編組導体（２０）とを備えたシールド電線（１）の外周に前記編組導体（２０）に接触するように取り付けられる導電性の接地用部材（２）であって、
前記編組導体（２０）を前記被覆電線（１０）に押し付けた状態にて前記編組導体（２０）に対して相対移動不能に固定される第１部材（３０）と、
前記シールド電線（１）の軸線方向において前記第１部材（３０）に隣接するように配置され、前記第１部材（３０）に対して前記軸線方向に相対移動不能に固定される第２部材（４０）と、
前記シールド電線（１）の径方向において前記第２部材（４０）に隣接するように配置され、前記第２部材（４０）の外周面との間に前記編組導体（２０）を挟んだ状態にて前記第２部材（４０）に対して相対移動不能に固定される第３部材（５０）と、を備えた、
接地用部材。
（２）
上記（１）に記載の接地用部材（２）において、
前記第１部材（３０）は、
前記編組導体（２０）に対して固定される筒状の第１本体部（３１）と、前記第１本体部（３１）から前記径方向の外側へ向けて広がる円板状のフランジ部（３２）であって該フランジ部（３２）の外周縁に前記径方向の内側へ向けて窪む凹部（３３）を有するフランジ部（３２）と、を有し、
前記第２部材（４０）は、
前記第３部材（５０）が固定される筒状の第２本体部（４１）と、前記第２本体部（４１）から前記径方向の外側へ向けて広がって前記フランジ部（３２）を覆うフード部（４２）であって前記凹部（３３）に対応するように前記径方向の内側へ向けて突出する凸部（４５，４７）を有するフード部（４２）と、を有すると共に、前記凸部（４５，４７）が前記凹部（３３）を通り抜けるまで前記軸線方向に前記第１部材（３０）に対して近付いた後、前記シールド電線（１）の周方向に前記第１部材（３０）に対して回転して前記凸部（４５，４７）が前記凹部（３３）と前記周方向の異なる位置に移動することにより、前記第１部材（３０）に対して前記軸線方向に相対移動不能に固定される、ように構成された、
接地用部材。
（３）
上記（２）に記載の接地用部材（２）において、
前記第１部材（３０）は、
複数の前記凹部（３３）を前記フランジ部（３２）に設け、
前記第２部材（４０）は、
前記複数の前記凹部に対応した複数の前記凸部（４５，４７）を前記フード部（４２）に設けた、
接地用部材。
（４）
被覆電線（１０）と前記被覆電線（１０）を覆う編組導体（２０）とを備えたシールド電線（１）と、
前記シールド電線（１）の外周に前記編組導体（２０）に接触するように取り付けられる上記（１）〜上記（３）の何れか一つに記載の接地用部材（２）と、を備えた、
接地用部材付きシールド電線。
【符号の説明】
【００５１】
１      シールド電線
２      接地用部材
１０    被覆電線
２０    編組導体
３０    シールドストッパ（第１部材）
３１    第１本体部
３２    フランジ部
３３    切欠き（凹部）
４０    シールドターミナル（第２部材）
４１    第２本体部
４２    フード部
４５    突起（凸部）
４７    折り曲げ片（凸部）
５０    シールドリング（第３部材）
【図１】
2019091574.tif 000003
【図２】
2019091574.tif 000004
【図３】
2019091574.tif 000005
【図４】
2019091574.tif 000006
【図５】
2019091574.tif 000007
【図６】
2019091574.tif 000008
【図７】
2019091574.tif 000009